(57)【要約】      （修正有）【課題】停電中に給油された油種、給油量などの情報を確認可能な燃料供給装置を提供する。【解決手段】被供給体に燃料を供給する燃料供給経路と、前記燃料供給経路に設けられたポンプ２４０と、前記ポンプ２４０を駆動するモータ２６０と、前記モータ２６０に商用電源１２０を供給する電源回路１１０とを備えた燃料供給装置１０において、外部の非常用電源１３０が接続され、前記非常用電源１３０からの電力供給により前記モータ２６０の駆動を可能にするコネクタと、前記非常用電源１３０からの電力による燃料供給に関する情報を記憶する記憶手段１５０と、を有する。【選択図】図２
2015030499.tif 000002
【特許請求の範囲】
【請求項１】
被供給体に燃料を供給する燃料供給経路と、
前記燃料供給経路に設けられたポンプと、
前記ポンプを駆動するモータと、
前記モータに商用電源を供給する電源回路とを備えた燃料供給装置において、
外部の非常用電源が接続され、前記非常用電源からの電力供給により前記モータの駆動を可能にするコネクタと、
前記非常用電源からの電力による燃料供給に関する情報を記憶する記憶手段と、
を有することを特徴とする燃料供給装置。
【請求項２】
前記商用電源から燃料供給装置へ電力が供給されていない場合には、前記電源回路に電力を供給する電力供給経路を前記非常用電源に切り替える切替手段を有することを特徴とする請求項１に記載の燃料供給装置。
【請求項３】
燃料供給を管理する燃料供給管理手段と、
前記商用電源から電力が供給されていることを検知する商用電源検知手段と、
を備えてなり、
前記商用電源検知手段により前記商用電源が前記電源回路に電力供給していることが検知された場合、前記非常用電源による燃料供給の情報を前記記憶手段から前記燃料供給管理手段に送信する送信手段と、
を有することを特徴とする請求項１または２の何れかに記載の燃料供給装置。
【発明の詳細な説明】
【技術分野】
【０００１】
本発明は燃料供給装置に関する。
【背景技術】
【０００２】
例えば、燃料供給装置が設置された給油所などの燃料供給施設においては、電力会社で発電された商用電源が供給されており、例えば、敷地内に設置された燃料供給装置、照明、洗車機、看板などの各機器で電源が消費される（例えば、特許文献１参照）。
【０００３】
また、燃料供給施設では、大地震発生に伴う停電時の対策として、非常用発電機あるいは非常用蓄電池を用意することが検討されている。
【先行技術文献】
【特許文献】
【０００４】
【特許文献１】特開平１１−９８６９５号公報
【発明の概要】
【発明が解決しようとする課題】
【０００５】
上記燃料供給施設においては、停電時でも非常用電源により燃料供給装置を駆動して車両の燃料タンク（被供給体）に給油できることが要望されている。その一方、地震時の緊急性から、燃料供給施設のうち、優先して燃料供給装置のみに非常用電源からの電力を供給させることになった場合には、給油量、給油時間、油種などの燃料供給に関する情報を管理するＰＯＳ装置（燃料供給管理機）には非常用電源からの電源が供給されないので、停電中に給油された油種、給油量などが管理できなくなるという問題が生じる。
【０００６】
そこで、本発明は上記事情に鑑み、上記課題を解決した燃料供給装置の提供を目的とする。
【課題を解決するための手段】
【０００７】
上記課題を解決するため、本発明は以下のような手段を有する。
【０００８】
本発明は、被供給体に燃料を供給する燃料供給経路と、
前記燃料供給経路に設けられたポンプと、
前記ポンプを駆動するモータと、
前記モータに商用電源を供給する電源回路とを備えた燃料供給装置において、
外部の非常用電源が接続され、前記非常用電源からの電力供給により前記モータの駆動を可能にするコネクタと、
前記非常用電源からの電力による燃料供給に関する情報を記憶する記憶手段と、
を有することを特徴とする。
【発明の効果】
【０００９】
本発明によれば、非常用電源から燃料供給装置へ電力が供給されている間の燃料供給に関する情報を記憶手段に記憶させるため、燃料供給施設が停電となり燃料供給装置のみに非常用電源から電力を供給させた場合でも、非常用電源からの電力供給による燃料供給に関する情報を管理することができる。
【図面の簡単な説明】
【００１０】
【図１】本発明による燃料供給装置の一実施形態を示す図である。
【図２】燃料供給装置の制御系の概略構成を示すブロック図である。
【図３】電源回路の構成を示す回路図である。
【図４】電源回路のリレー動作に対応する制御処理を説明するためのフローチャートである。
【図５】電源回路における商用電源と非常用電源の切り替えに対応する制御処理を説明するためのフローチャートである。
【図６】記憶手段に記憶された情報の一例を模式的に示す図である。
【図７】記憶手段に記憶された情報の他の例を模式的に示す図である。
【発明を実施するための形態】
【００１１】
以下、図面を参照して本発明を実施するための形態について説明する。
【００１２】
〔燃料供給装置の構成〕
図１は本発明による燃料供給装置の一実施形態を示す図である。図１に示されるように、燃料供給装置１０は、例えば、給油所に設置される給油装置である。また、燃料供給装置１０は、筐体２０の前面に給油ノズル３０を収納するノズル掛け４０と、操作部５０、表示装置６０と、非常用電源入力用コンセント７０と、商用電源ランプ８０とが設けられている。給油ノズル３０は、給油ホース９０と共に燃料供給経路を構成している。給油ホース９０は、筐体２０の上部に連結された継手９２を介して筐体２０の内部に設けられた燃料供給経路（図２参照）を構成する配管に接続されている。
【００１３】
操作部５０は、給油量あるいは給油金額をプリセットするための各種キーが設けられている。また、表示装置６０は、操作部５０の操作により入力された数値（プリセット値）を表示し、給油中は給油量を表示する。
【００１４】
非常用電源入力用コンセント７０は、筐体２０の前面の見やすい高さ位置に設けられ、蓋部材７２の内側に配置されている。商用電源で稼働しているときは、蓋部材７２が閉じており、非常用電源入力用コンセント７０が風雨により劣化することが防止されている。また、停電時には、蓋部材７２を開くと、非常用電源入力用コンセント７０に非常用電源からのコネクタ（図２参照）が接続できる。
【００１５】
商用電源ランプ８０は、商用電源で稼働しているときは点灯して商用電源から通電中であることを表示する。また、停電になると、商用電源ランプ８０が消灯して停電中であることが表示される。
【００１６】
図２は燃料供給装置の概略構成を示すブロック図である。図２に示されるように、燃料供給装置１０の制御部１００は、電源回路１１０を介して商用電源１２０または非常用電源１３０からの電力が供給される。電源回路１１０は、電源切替回路（電源切替手段）３００と、電源判定回路（電源判定手段）４００とを有する。制御部１００は、電源制御手段１４０と、履歴記憶手段１５０と、履歴表示手段１６０と、送信手段１７０と、ポンプ制御手段１８０と、流量演算手段１９０とを有する。
【００１７】
電源切替回路３００は、後述するように、商用電源１２０からＡＣ１００Ｖが供給されている場合には、商用電源１２０を優先させる。また、地震などによる停電時（商用電源から電力が供給されない場合）には、非常用電源入力用コンセント７０に接続された非常用電源１３０からＡＣ１００Ｖを制御部１００及びモータ２６０に供給する。
【００１８】
尚、非常用電源１３０は、移動式の発電機または蓄電池などからなり、通常、給油所から離れた安全な場所に保管されており、地震発生後に給油所に運搬される。また、各給油所毎に非常用電源１３０を保管せず、各地域ごとに多数の非常用電源１３０をまとめて保管しても良い。
【００１９】
電源判定用回路４００は、電力供給源が商用電源１２０または非常用電源１３０のどちらかであるかを判定し、電源情報としての判定結果を制御部１００の電源制御手段１４０を経由して履歴記憶手段１５０及び送信手段１７０に入力する。
【００２０】
履歴記憶手段１５０は、メモリ（記憶手段）２００と接続されており、電源判定手段１１４の判定結果が非常用電源１３０からの電力供給が行われる場合（停電時）、給油に関する履歴情報（給油量、油種、給油日時など）をメモリ２００に記憶させる。また、履歴表示手段１６０は、操作部５０の操作によりメモリ２００に記憶された履歴情報を読み出して表示装置６０に表示させる。
【００２１】
送信手段１７０は、電源判定手段１１４の判定結果が非常用電源１３０から商用電源１２０に切り替わった場合、メモリ２００に記憶された履歴情報をＰＯＳ装置２１０（燃料供給管理手段）に送信する。
【００２２】
給油ノズル３０は、燃料供給経路を構成する給油ホース９０及び給油配管２２０を介して地下タンク２３０に接続されている。給油配管２２０には、ポンプ２４０、流量計２５０が設けられている。また、ノズル掛け４０には、給油ノズル３０が収納されていることを検知して検知信号を出力するノズルスイッチ４２が設けられている。
【００２３】
ポンプ制御手段１８０は、給油ノズル３０がノズル掛け４０から外されてノズルスイッチ４２の検知信号がオフになると、モータ２６０に通電してポンプ２４０を駆動する。尚、商用電源１２０からＡＣ１００Ｖが供給されている場合には、商用電源１２０から供給された電力がモータ２６０に供給され、非常用電源１３０から電力供給が行われる場合（停電時）には非常用電源１３０から供給されたＡＣ１００Ｖがモータ２６０に供給されるが、本発明によれば、商用電源１２０および非常用電源１３０の両方から電力が供給されている場合には、商用電源１２０から供給された電力によりモータ２６０は駆動することになる。
【００２４】
そして、給油操作者が給油ノズル３０の吐出パイプを車両に搭載された燃料タンク（被供給体）の燃料供給口に挿入してノズルレバーを開弁方向に操作すると、給油ノズル３０に内蔵された主弁が開弁して当該車両に搭載された燃料タンクに給油が行われる。
【００２５】
このようにして地下タンク２３０に貯蔵された油液（液体燃料）がポンプ２４０により汲み上げられて車両の燃料タンクに給油されると共に、流量計２５０から出力された流量パルスが流量演算手段１９０に送信される。流量演算手段１９０では、入力された流量パルスを積算して積算流量（給油量）を演算し、表示装置６０に積算流量（給油量）の演算値を表示させる。また、流量演算手段１９０は、積算流量（給油量）の演算値を履歴記憶手段１５０に送信しており、履歴記憶手段１５０は受信した給油量及び油種、日時（給油情報）をメモリ２００に記憶させる。
【００２６】
また、非常用電源による給油時は、表示装置６０に給油量が表示されるため、操作者が非常用電源による給油量を確認できる。
【００２７】
また、制御部１００は、計時手段を有しており、停電時の各給油情報を時系列的に管理することが可能である。そのため、停電復旧後に非常用電源で給油した給油情報を給油日時と関連させて記憶させることが可能になり、詳細な給油情報の管理が正確に行える。
【００２８】
また、燃料供給装置１０には、地震発生時に給油を緊急停止させる感震器が設けられ、非常用電源によるポンプ駆動が行われた場合、感震器の検知感度を高めることで、余震に対して迅速に燃料供給停止が行える。これにより、地震発生時の安全な燃料供給が可能になる。
【００２９】
また、メモリ２００は、非常用電源１３０で給油する際の給油情報を記憶するものであり、商用電源１２０による給油情報を記憶しないため、記憶容量が小さくて済み、ハードディスク装置などを用いなくてもメモリカードなどで済むので、小型化及び省スペース化が図れる。
【００３０】
〔電源回路の構成〕
図３は電源回路の構成を示す回路図である。図３に示されるように、電源回路１１０は、商用電源１２０もしくは非常用電源入力用コンセント７０へ接続された非常用電源１３０のうちいずれかの電源（ＡＣ１００Ｖ）を供給するように切替える電源切替回路３００を有する。また、電源回路１１０は、リレー信号を電源判定結果を表す信号として制御部１００に送信する電源判定回路４００を有する。
【００３１】
電源切替回路３００は、供給元電源を切り替えるための電源スイッチリレー２７０と、商用電源１２０から電力を供給している場合に点灯する商用電源ランプ８０と、商用電源１２０の供給状態を検知する商用電源検知用リレー２８０とを有する。電源スイッチリレー２７０は、リレー操作部（コイル部）２７０Ａと、スイッチユニット２７０Ｂとを有する。商用電源検知用リレー２８０は、リレー操作部（コイル部）２８０Ａと、リレー接点部２８０Ｂとを有する。
【００３２】
電源スイッチリレー２７０のリレー操作部（コイル部）２７０Ａは、非常用電源入力用コンセント７０に接続されている。非常用電源１３０が非常用電源入力用コンセント７０に接続されない場合は、電源スイッチリレー２７０のリレー操作部（コイル部）２７０Ａが無励磁（消磁状態）となる。この無励磁の場合、電源スイッチリレー２７０の各切替スイッチＢ１〜Ｂ３は、図３に示すように各端子ｃ１−ｂ１、ｃ２−ｂ２、ｃ３−ｂ３が可動切片ｄ１〜ｄ３により接続される。この場合、商用電源１２０が切替スイッチＢ２、Ｂ３を介して電力供給を行うため、商用電源１２０をＡＣ電源入力として使用することになる。
【００３３】
また、商用電源検知用リレー２８０のリレー接点部２８０Ｂは、商用電源１２０がＡＣ電源入力として使用していることを示す商用電源検知信号αを制御部１００に送信する商用電源検知手段である。
【００３４】
商用電源検知用リレー２８０は、商用電源１２０の電力の供給状態を検知しており、商用電源１２０が電力供給するとリレー操作部（コイル部）２８０Ａが励磁され、リレー接点部２８０Ｂが閉じる。すなわち、電源判定用回路４００を構成するリレー接点部２８０Ｂは、商用電源１２０の電力供給の有無に応じて商用電源検知信号αをオンまたはオフにする。そのため、制御部１００の電源制御手段１４０では、商用電源検知信号αが入力（オン）されることで、商用電源１２０が供給可能な通電状態であることを認識する。
【００３５】
また、停電時（商用電源から電力が供給されない場合）に非常用電源１３０のコネクタ１３２が非常用電源入力用コンセント７０に接続されて電源スイッチリレー２７０の操作部（コイル部）２７０Ａが励磁された場合、電源スイッチリレー２７０のスイッチＢ１の可動切片ｄ１は、接点ｃ１−ａ１を接続（オフ状態）するように切り替わる。電源スイッチリレー２７０のスイッチＢ１は、商用電源検知用リレー２８０のリレー接点部２８０Ｂに接続されている。そのため、商用電源検知用リレー２８０のリレー接点部２８０Ｂから制御部１００に送信される商用電源検知信号αは、オフに切り替わり、制御部１００の電源制御手段１４０において、非常用電源１３０をＡＣ電源入力として使用していることが認識される。
【００３６】
商用電源１２０の停電時に非常用電源１３０のコネクタ１３２が非常用電源入力用コンセント７０に接続された場合、電源スイッチリレー２７０の操作部（コイル部）２７０Ａが励磁される。これにより、電源スイッチリレー２７０の各切替スイッチＢ１〜Ｂ３は、可動切片ｄ１〜ｄ３が各端子ｃ１−ａ１、ｃ２−ａ２、ｃ３−ａ３を接続するように切り替わる。これにより、電力供給源は、商用電源１２０から非常用電源入力用コンセント７０へ接続された非常用電源１３０に切り替わる。この場合、非常用電源１３０を、ＡＣ電源入力として使用することが電源制御手段１４０で認識される。
【００３７】
また、本実施形態１では、非常用電源入力用コンセント７０に接続された場合、電源スイッチリレー２７０の操作部（コイル部）２７０Ａが励磁されたことにより、電力供給源を非常用電源１３０に切り替える構成としたが、これに限らず、例えば、商用電源からの電力が供給されない場合に、電源スイッチリレー２７０を各端子ｃ１−ａ１、ｃ２−ａ２、ｃ３−ａ３へと接続するように切り替えることにより電力供給源を非常用電源１３０に切り替えても良いことは勿論である。
【００３８】
また、本実施形態１では、電源スイッチリレー２７０の接点により自動的に商用電源から非常用電源へ切り替わる構成としたが、これに限らず、例えば燃料供給装置に設けられた切替えスイッチ（ボタン）により手動で切替えても良いことは勿論である。
【００３９】
〔制御部の制御処理〕
図４は制御部のリレー動作に対応する制御処理を説明するためのフローチャートである。図４に示されるように、制御部１００は、Ｓ１１で電源スイッチリレー２７０の接点ｃ１−ｂ１間がオフか否かをチェックする（商用電源検知手段）。Ｓ１１において、電源スイッチリレー２７０の接点ｃ１−ｂ１間がオフの場合（ＹＥＳの場合）、Ｓ１２に進み、商用電源検知用リレー２８０がオフか否かをチェックする。
【００４０】
Ｓ１２において、商用電源検知用リレー２８０がオフの場合（ＹＥＳの場合）、非常用電源１３０に切替えられるため、Ｓ１３に進み、非常用電源１３０で起動した給油の記録（情報）をメモリ２００に記憶させる。メモリ２００には、例えば、図６に模式的に示すように、非常用電源１３０の起動、非常用電源１３０で給油した油種、給油量、商用電源１２０への切り替え、非常用電源１３０の切り替え、非常用電源１３０で給油した油種、給油量などの情報（図６、図７参照）が記憶される。
【００４１】
上記Ｓ１１において、電源スイッチリレー２７０の接点ｃ１−ｂ１間がオンの場合（ＮＯの場合）、商用電源１２０により駆動されるため、今回の制御処理を終了する。
【００４２】
また、Ｓ１２において、商用電源検知用リレー２８０がオンの場合（ＮＯの場合）、商用電源１２０が復旧されて商用電源１２０と非常用電源１３０の両方から供給されるため、Ｓ１４に進み、表示装置６０に非常用電源１３０による電力供給を禁止するエラー表示を行う（禁止手段）。このエラー表示により、操作者は、停電していた商用電源１２０が復旧したことを確認できる。そして、非常用電源１３０のコネクタ１３２を非常用電源入力用コンセント７０から分離させて非常用電源１３０による給油を停止させる。
【００４３】
続いて、Ｓ１５では、電源スイッチリレー２７０の接点ｃ１−ｂ１間がオフか否かをチェックする。Ｓ１５において、電源スイッチリレー２７０の接点ｃ１−ｂ１間がオフの場合（ＹＥＳの場合）、リレー操作部２７０Ａがオンになって非常用電源１３０から電力供給されるため、Ｓ１６に進み、エラー表示を解除するか否かをチェックする。Ｓ１６において、エラー表示の解除を承諾する許可信号が操作部５０から入力された場合には、エラー表示を解除する。また、Ｓ１６において、エラー表示の解除の許可信号が入力されない場合（ＮＯの場合）、上記Ｓ１５の処理に戻り、待機状態となる。
【００４４】
〔制御処理の変形例〕
図５は電源回路における商用電源と非常用電源の切り替えに対応する制御処理を説明するためのフローチャートである。図５に示されるように、制御部１００は、Ｓ２１で商用電源１２０による稼働中か否かをチェックする。Ｓ２１において、商用電源１２０で稼働中（電源スイッチリレー２７０の接点ｃ１−ｂ１間がオン、商用電源検知用リレー２８０のリレー接点部２８０Ｂがオン）の場合（ＹＥＳの場合）、Ｓ２２に進み、電源スイッチリレー２７０の接点ｃ１−ｂ１間がオフに変化したか否かをチェックする。
【００４５】
Ｓ２２において、電源スイッチリレー２７０の接点ｃ１−ｂ１間がオフに変化した場合（ＹＥＳの場合）、商用電源１２０による通電中に非常用電源１３０のコネクタ１３２が非常用電源入力用コンセント７０に接続されて非常用電源１３０に切り替わったため、Ｓ２３に進み、非常用電源１３０への切替えをメモリ２００に記憶する。続いて、Ｓ２４に進み、表示装置６０に商用電源１２０による電力供給を禁止するエラー表示を行う（禁止手段）。これにより、操作者は、商用電源１２０による給油ができないことを認識する。
【００４６】
次のＳ２５では、電源スイッチリレー２７０の接点ｃ１−ｂ１間がオフか否かをチェックする。Ｓ２５において、電源スイッチリレー２７０の接点ｃ１−ｂ１間がオフの場合（ＹＥＳの場合）、Ｓ２６に進み、エラー表示を解除する。これにより、操作者は、非常用電源１３０による給油が可能であることを認識する。また、操作部５０によりエラー表示解除操作が行われた場合にエラー表示を解除しても良い。
【００４７】
また、上記Ｓ２２において、電源スイッチリレー２７０の接点ｃ１−ｂ１間がオンの場合（ＮＯの場合）、商用電源１２０で稼働中であるため、上記Ｓ２３〜Ｓ２６の処理は省略する。
【００４８】
また、上記Ｓ２１において、商用電源１２０で稼働中でない（接点ｃ１−ｂ１間がオフ）の場合（ＮＯの場合）、Ｓ２７に進み、非常用電源１３０で稼働中（電源スイッチリレー２７０の接点ｃ１−ｂ１間がオフ、商用電源検知用リレー２８０のリレー接点部２８０Ｂがオフ）か否かをチェックする（非常用電源検知手段）。Ｓ２７において、非常用電源１３０で稼働中でない場合（ＮＯの場合）、前述したＳ２１の処理に戻り、待機状態となる。
【００４９】
また、Ｓ２７において、非常用電源１３０で稼働中の場合（ＹＥＳの場合）、Ｓ２８に進み、商用電源検知用リレー２８０のリレー接点部２８０Ｂがオンに変化したか否かをチェックする。Ｓ２８において、商用電源検知用リレー２８０のリレー接点部２８０Ｂがオンに変化しない場合（ＮＯの場合）、商用電源１２０による通電が行われるため、Ｓ２９以降の処理を省略して今回の処理を終了する。
【００５０】
また、Ｓ２８において、商用電源検知用リレー２８０のリレー接点部２８０Ｂがオンに変化した場合（ＹＥＳの場合）、商用電源１２０が復旧して商用電源１２０及び非常用電源１３０から通電されているので、Ｓ２９に進み、表示装置６０に非常用電源１３０による電力供給を禁止するエラー表示を行う（禁止手段）。これにより、商用電源１２０による給油が可能であるにも関わらず非常用電源１３０を利用した給油を行うことを禁止できるので、商用電源１２０による安定的な給油を行なえる。
【００５１】
また、本実施形態１の禁止手段は、非常用電源１３０による供給中に商用電源１２０による電力が供給された場合に、エラー表示により非常用電源１３０による供給を禁止する構成としたが、商用電源１２０をクランプするクランプ機構による供給中に非常用電源１３０による電力が供給された場合にもエラー表示することにより非常用電源１３０による供給を禁止することは勿論である。また、商用電源１３０により電力が供給されている間は、非常用電源１３０からの電力供給があった場合でも電源スイッチリレー２７０の接点を変化させない（＝商用電源スイッチリレーの接点のＯＮ状態を継続する）ことにより本発明が適用されるのは勿論である。
【００５２】
続いて、Ｓ３０に進み、電源スイッチリレー２７０の接点ｃ１−ｂ１間がオフに変化したか否かをチェックする。Ｓ３０において、電源スイッチリレー２７０の接点ｃ１−ｂ１間がオフに変化した場合（ＹＥＳの場合）、Ｓ３１に進み、エラー表示を解除する。また、操作部５０によりエラー表示解除操作が行われた場合にエラー表示を解除しても良い。
【００５３】
また、上記Ｓ３０において、電源スイッチリレー２７０の接点ｃ１−ｂ１間がオフに変化しない場合（ＮＯの場合）、Ｓ３２に進み、商用電源１２０に切替える。続いて、Ｓ３３では、メモリ２００に記憶した給油情報をＰＯＳ装置２１０（燃料供給管理手段）に送信する（送信手段）。ここで、受信手段を備えたＰＯＳ装置２１０においては、燃料供給装置から送信された給油情報を記憶することにより非常用電源１３０で給油した際の情報（油種、給油量など）を管理することが可能になり、例えば、地震直後の緊急車両への給油が可能になると共に、請求書の発行が可能になる。
【００５４】
また、本発明の燃料供給装置１０は、ＰＯＳ装置２１０からの燃料供給許可信号に基づいて燃料供給を行うのは勿論のこと、ＰＯＳ装置２１０からの燃料供給許可信号がなくても燃料供給を行える燃料供給装置にも本発明が適用できることは勿論である。
【００５５】
また、本発明の燃料供給装置１０は、被供給体に給油を行うのは勿論のこと、他の燃料（例えば、液化ガスやＬＰＧ等）でも供給できるのは勿論である。
【００５６】
また、非常用電源１３０で給油した際の他の情報（変形例）としては、例えば、図７に示すように、各情報が記憶された日時も併せてメモリ２００に記憶させても良い。
【００５７】
また、本実施形態１では、商用電源検知手段により商用電源１２０から電力が供給されていないことを検知した場合に非常用電源１３０による電力供給経路を切替える構成としたが、これに限らず商用電源１２０と燃料供給装置１０とが非接続状態となっている場合にも、非常用電源１３０による電力供給経路を切替える構成としても良いことは勿論である。
【００５８】
また、本発明では、電源スイッチリレーに基づき、商用電源または非常用電源の何れかの供給元電源を切り替える構成としたが、これに限らず、例えば、電源制御手段１４０により商用電源検知手段により商用電源から電力が供給されていないことが検知され、且つ非常用電源検知手段により非常用電源から電力が供給されている場合に電力供給回路を商用電源から非常用電源へ切替える構成にしても良いことは勿論である。
【符号の説明】
【００５９】
１０  燃料供給装置
２０  筐体
３０  給油ノズル
４０  ノズル掛け
４２  ノズルスイッチ
５０  操作部
６０  表示装置
７０  非常用電源入力用コンセント
７２  蓋部材
８０  商用電源ランプ
９０  給油ホース
１００  制御部
１１０  電源回路
１２０  商用電源
１３０  非常用電源
１４０  電源制御手段
１５０  履歴記憶手段
１６０  履歴表示手段
１７０  送信手段
１８０  ポンプ制御手段
１９０  流量演算手段
２００  メモリ
２１０  ＰＯＳ装置
２２０  給油配管
２３０  地下タンク
２４０  ポンプ
２５０  流量計
２６０  モータ
２７０  電源スイッチリレー
２７０Ａ  リレー操作部（コイル部）
２７０Ｂ  スイッチユニット
３００  電源切替回路
４００  電源判定回路
２８０  商用電源検知用リレー
２８０Ａ  リレー操作部（コイル部）
２８０Ｂ  リレー接点部
Ｂ１〜Ｂ３  切替スイッチ
【図１】
2015030499.tif 000003
【図２】
2015030499.tif 000004
【図３】
2015030499.tif 000005
【図４】
2015030499.tif 000006
【図５】
2015030499.tif 000007
【図６】
2015030499.tif 000008
【図７】
2015030499.tif 000009